(57)【要約】【課題】発光色が互いに異なる第一の発光体及び第二の発光体の光を拡散した後に混合し、あるいは混合した後に拡散することにより、光色を変化させると共に光を拡散させて装飾効果を高めることを目的とする。【解決手段】装飾部材２８に、発光色が互いに異なる第一の発光体４９及び第二の発光体５０を互いに異なる位置に配設し、前記第一の発光体及び前記第二の発光体の光を透過させて拡散光を生成するための光拡散用形状が形成された第一光透過部５２と、前記第一の発光体及び前記第二の発光体の拡散光を透過させて前記第一の発光体及び前記第二の発光体の拡散光を混合し、前記第一の発光体及び前記第二の発光体の発光色を混合した混合色からなる混合光を生成するための光混合用形状が形成された第二光透過部６０とを配設した。【選択図】      図３
2005102779.tif 000002
【特許請求の範囲】
【請求項１】
遊技球の打ち込まれる遊技領域が形成された遊技盤と、
前記遊技領域に配設された装飾部材と、
を備えた遊技機において、
前記装飾部材には、発光色が互いに異なる第一の発光体及び第二の発光体が互いに異なる位置に配設されると共に、前記第一の発光体及び前記第二の発光体の光を透過させて前記第一の発光体及び前記第二の発光体の拡散光を生成するための凹部と凸部の両方又は何れか一方からなる光拡散用形状が形成された第一光透過部と、前記第一光透過部を透過して生成された前記第一の発光体及び前記第二の発光体の拡散光を透過させて前記第一の発光体及び前記第二の発光体の拡散光を混合し、前記第一の発光体及び前記第二の発光体の発光色を混合した混合色からなる混合光を生成するための凹部と凸部の両方又は何れか一方からなる光混合用形状が形成された第二光透過部とが配設されたことを特徴とする遊技機。
【請求項２】
遊技球の打ち込まれる遊技領域が形成された遊技盤と、
前記遊技領域に配設された装飾部材と、
を備えた遊技機において、
前記装飾部材には、発光色が互いに異なる第一の発光体及び第二の発光体が互いに異なる位置に配設されると共に、前記第一の発光体及び前記第二の発光体の光を透過させて混合し、前記第一の発光体及び前記第二の発光体の発光色を混合した混合色からなる混合光を生成するための凹部と凸部の両方又は何れか一方からなる光混合用形状が形成された第二光透過部と、前記第二光透過部を透過して生成された前記混合光を透過させて拡散させ、前記混合光の拡散光を生成するための凹部と凸部の両方又は何れか一方からなる光拡散用形状が形成された第一光透過部とが配設されたことを特徴とする遊技機。
【請求項３】
前記第二光透過部には前記光混合用形状として略直線状の凸部が形成され、前記第二光透過部を透過した前記第一の発光体及び第二の発光体の光が前記略直線状の凸部を中心に前記略直線状の凸部に対して略垂直方向に伸びるようにされると共に、前記第一の発光体及び第二の発光体は、前記略直線状の凸部との配設位置関係が略垂直となるように前記装飾部材に配設されていることを特徴とする請求項１又は２に記載の遊技機。
【請求項４】
前記第二光透過部には前記光混合用形状として略直線状の凸部が所定間隔で並列に形成されて前記凸部間が略直線状の凹部を構成し、前記第二光透過部を透過した前記第一の発光体及び第二の発光体の光が、前記略直線状の凸部と前記略直線状の凹部の両方あるいは何れか一方を中心に前記略直線状の凸部あるいは前記略直線状の凹部と略垂直方向に伸びるようにされると共に、前記第一の発光体及び第二の発光体は、前記略直線状の凸部と前記略直線状の凹部の両方あるいは何れか一方との配設位置関係が略垂直となるように前記装飾部材に配設されていることを特徴とする請求項１又は２に記載の遊技機。
【請求項５】
前記第一光透過部には前記光拡散用形状として多面体あるいは略半球からなる凸部が形成され、前記第一光透過部を透過した前記第一の発光体及び前記第二の発光体の光が、前記多面体あるいは略半球からなる凸部を中心に略放射状に拡散するように、前記第一光透過部が前記装飾部材に配設されていることを特徴とする請求項１から４の何れか一項に記載の遊技機。
【請求項６】
前記第一光透過部には前記光拡散用形状として多面体あるいは略半球からなる複数の凸部が略隣接して形成されると共に前記凸部間が凹部を構成し、前記第一光透過部を透過した前記第一の発光体及び前記第二の発光体の光が前記凸部と前記凹部の両方あるいは何れか一方を中心に略放射状に拡散するように、前記第一光透過部が前記装飾部材に配設されたことを特徴とする請求項１から４の何れか一項に記載の遊技機。
【請求項７】
装飾部材を備えた遊技機において、
前記装飾部材には、発光色が互いに異なる第一の発光体及び第二の発光体が互いに異なる位置に配設されると共に、前記第一の発光体及び前記第二の発光体の光を透過させて前記第一の発光体及び前記第二の発光体の拡散光を生成するための凹部と凸部の両方又は何れか一方からなる光拡散用形状が形成された第一光透過部と、前記第一光透過部を透過して生成された前記第一の発光体及び前記第二の発光体の拡散光を透過させて前記第一の発光体及び前記第二の発光体の拡散光を混合し、前記第一の発光体及び前記第二の発光体の発光色を混合した混合色からなる混合光を生成するための凹部と凸部の両方又は何れか一方からなる光混合用形状が形成された第二光透過部とが配設されたことを特徴とする遊技機。
【請求項８】
装飾部材を備えた遊技機において、
前記装飾部材には、発光色が互いに異なる第一の発光体及び第二の発光体が互いに異なる位置に配設されると共に、前記第一の発光体及び前記第二の発光体の光を透過させて混合し、前記第一の発光体及び前記第二の発光体の発光色を混合した混合色からなる混合光を生成するための凹部と凸部の両方又は何れか一方からなる光混合用形状が形成された第二光透過部と、前記第二光透過部を透過して生成された前記混合光を透過させて拡散させ、前記混合光の拡散光を生成するための凹部と凸部の両方又は何れか一方からなる光拡散用形状が形成された第一光透過部とが配設されたことを特徴とする遊技機。
【発明の詳細な説明】
【技術分野】
【０００１】
本発明は、パチンコ遊技機等に代表される遊技機に関する。
【背景技術】
【０００２】
従来、遊技盤の遊技領域に装飾部材を配設し、前記装飾部材に発光体と前記発光体の光を透過させるための光透過部とを備えた遊技機がある。
【０００３】
また、遊技機における発光素子を覆う光透過カバーに関し、発光素子の位置が光透過カバーの外から視認されないようにするため、略半円状からなる複数の光拡散用溝を平行に形成した透明樹脂板を、溝の向きが重ならないように複数枚重ねて光透過カバーを構成することが提案されている。
【特許文献１】特開２００２−７２９３８号公報
【発明の開示】
【発明が解決しようとする課題】
【０００４】
しかしながら、従来の遊技機においては、発光体の光を光透過部にそのまま透過させるだけであるため、透過した光による装飾効果が限定されていた。なお、前記光拡散用溝が形成された複数の透明樹脂板を重ねた光透過カバーを用いて、発光体の光を拡散させるようにしても、発光体の光色をそのまま光透過カバーに透過させて拡散させるだけであり、光透過カバーを透過した光による装飾効果が限定されていた。
【０００５】
本発明は、前記の点に鑑みなされたもので、発光色が互いに異なる第一の発光体及び第二の発光体の光を拡散及び混合することにより、光色を変化させると共に光を拡散させて遊技機における装飾効果を高めることを目的とする。
【課題を解決するための手段】
【０００６】
請求項１の発明は、遊技球の打ち込まれる遊技領域が形成された遊技盤と、前記遊技領域に配設された装飾部材と、を備えた遊技機において、前記装飾部材には、発光色が互いに異なる第一の発光体及び第二の発光体が互いに異なる位置に配設されると共に、前記第一の発光体及び前記第二の発光体の光を透過させて前記第一の発光体及び前記第二の発光体の拡散光を生成するための凹部と凸部の両方又は何れか一方からなる光拡散用形状が形成された第一光透過部と、前記第一光透過部を透過して生成された前記第一の発光体及び前記第二の発光体の拡散光を透過させて前記第一の発光体及び前記第二の発光体の拡散光を混合し、前記第一の発光体及び前記第二の発光体の発光色を混合した混合色からなる混合光を生成するための凹部と凸部の両方又は何れか一方からなる光混合用形状が形成された第二光透過部とが配設されたことを特徴とする。
【０００７】
請求項２の発明は、遊技球の打ち込まれる遊技領域が形成された遊技盤と、前記遊技領域に配設された装飾部材と、を備えた遊技機において、前記装飾部材には、発光色が互いに異なる第一の発光体及び第二の発光体が互いに異なる位置に配設されると共に、前記第一の発光体及び前記第二の発光体の光を透過させて混合し、前記第一の発光体及び前記第二の発光体の発光色を混合した混合色からなる混合光を生成するための凹部と凸部の両方又は何れか一方からなる光混合用形状が形成された第二光透過部と、前記第二光透過部を透過して生成された前記混合光を透過させて拡散させ、前記混合光の拡散光を生成するための凹部と凸部の両方又は何れか一方からなる光拡散用形状が形成された第一光透過部とが配設されたことを特徴とする。
【０００８】
請求項３の発明は、請求項１又は２において、前記第二光透過部には前記光混合用形状として略直線状の凸部が形成され、前記第二光透過部を透過した前記第一の発光体及び第二の発光体の光が前記略直線状の凸部を中心に前記略直線状の凸部に対して略垂直方向に伸びるようにされると共に、前記第一の発光体及び第二の発光体は、前記略直線状の凸部との配設位置関係が略垂直となるように前記装飾部材に配設されていることを特徴とする。
【０００９】
請求項４の発明は、請求項１又は２において、前記第二光透過部には前記光混合用形状として略直線状の凸部が所定間隔で並列に形成されて前記凸部間が略直線状の凹部を構成し、前記第二光透過部を透過した前記第一の発光体及び第二の発光体の光が、前記略直線状の凸部と前記略直線状の凹部の両方あるいは何れか一方を中心に前記略直線状の凸部あるいは前記略直線状の凹部と略垂直方向に伸びるようにされると共に、前記第一の発光体及び第二の発光体は、前記略直線状の凸部と前記略直線状の凹部の両方あるいは何れか一方との配設位置関係が略垂直となるように前記装飾部材に配設されていることを特徴とする。
【００１０】
請求項５の発明は、請求項１から４の何れか一項において、前記第一光透過部には前記光拡散用形状として多面体あるいは略半球からなる凸部が形成され、前記第一光透過部を透過した前記第一の発光体及び前記第二の発光体の光が、前記多面体あるいは略半球からなる凸部を中心に略放射状に拡散するように、前記第一光透過部が前記装飾部材に配設されていることを特徴とする。
【００１１】
請求項６の発明は、請求項１から４の何れか一項において、前記第一光透過部には前記光拡散用形状として多面体あるいは略半球からなる複数の凸部が略隣接して形成されると共に前記凸部間が凹部を構成し、前記第一光透過部を透過した前記第一の発光体及び前記第二の発光体の光が前記凸部と前記凹部の両方あるいは何れか一方を中心に略放射状に拡散するように、前記第一光透過部が前記装飾部材に配設されたことを特徴とする。
【００１２】
請求項７の発明は、装飾部材を備えた遊技機において、前記装飾部材には、発光色が互いに異なる第一の発光体及び第二の発光体が互いに異なる位置に配設されると共に、前記第一の発光体及び前記第二の発光体の光を透過させて前記第一の発光体及び前記第二の発光体の拡散光を生成するための凹部と凸部の両方又は何れか一方からなる光拡散用形状が形成された第一光透過部と、前記第一光透過部を透過して生成された前記第一の発光体及び前記第二の発光体の拡散光を透過させて前記第一の発光体及び前記第二の発光体の拡散光を混合し、前記第一の発光体及び前記第二の発光体の発光色を混合した混合色からなる混合光を生成するための凹部と凸部の両方又は何れか一方からなる光混合用形状が形成された第二光透過部とが配設されたことを特徴とする。
【００１３】
請求項８の発明は、装飾部材を備えた遊技機において、前記装飾部材には、発光色が互いに異なる第一の発光体及び第二の発光体が互いに異なる位置に配設されると共に、前記第一の発光体及び前記第二の発光体の光を透過させて混合し、前記第一の発光体及び前記第二の発光体の発光色を混合した混合色からなる混合光を生成するための凹部と凸部の両方又は何れか一方からなる光混合用形状が形成された第二光透過部と、前記第二光透過部を透過して生成された前記混合光を透過させて拡散させ、前記混合光の拡散光を生成するための凹部と凸部の両方又は何れか一方からなる光拡散用形状が形成された第一光透過部とが配設されたことを特徴とする。
【発明の効果】
【００１４】
請求項１の発明によれば、遊技球の打ち込まれる遊技領域に配設された装飾部材に、発光色が互いに異なる第一の発光体及び第二の発光体を互いに異なる位置に配設し、前記第一の発光体及び前記第二の発光体の光を透過させて前記第一の発光体及び前記第二の発光体の拡散光を生成するための凹部と凸部の両方又は何れか一方からなる光拡散用形状が形成された第一光透過部と、前記第一光透過部を透過して生成された前記第一の発光体及び前記第二の発光体の拡散光を透過させて前記第一の発光体及び前記第二の発光体の拡散光を混合し、前記第一の発光体及び前記第二の発光体の発光色を混合した混合色からなる混合光を生成するための凹部と凸部の両方又は何れか一方からなる光混合用形状が形成された第二光透過部とを配設したため、互いに異なる発光色を拡散、混合した透過光を遊技領域に発生させることができ、装飾効果を高めることが可能となる。
【００１５】
請求項２の発明によれば、遊技球の打ち込まれる遊技領域に配設された装飾部材に、発光色が互いに異なる第一の発光体及び第二の発光体を互いに異なる位置に配設し、前記第一の発光体及び前記第二の発光体の光を透過させて混合し、前記第一の発光体及び前記第二の発光体の発光色を混合した混合色からなる混合光を生成するための凹部と凸部の両方又は何れか一方からなる光混合用形状が形成された第二光透過部と、前記第二光透過部を透過して生成された前記混合光を透過させて拡散させ、前記混合光の拡散光を生成するための凹部と凸部の両方又は何れか一方からなる光拡散用形状が形成された第一光透過部とを配設したため、互いに異なる発光色を混合、拡散した透過光を遊技領域に発生させることができ、装飾効果を高めることが可能となる。
【００１６】
請求項３の発明によれば、前記第二光透過部に前記光混合用形状として略直線状の凸部を形成し、前記第二光透過部を透過した前記第一の発光体及び第二の発光体の光が前記略直線状の凸部を中心に前記略直線状の凸部に対して略垂直方向に伸びるようにすると共に、前記第一の発光体及び第二の発光体を、前記略直線状の凸部との配設位置関係が略垂直となるように前記装飾部材に配設したため、発光色が互いに異なる第一の発光体と第二の発光体の発光色を混合させることが可能であると共に互いに異なる発光色を拡散後混合させた、あるいは混合後拡散させた透過光を発生させることができ、装飾効果を高めることが可能となる。
【００１７】
請求項４の発明によれば、前記第二光透過部に前記光混合用形状として略直線状の凸部を所定間隔で並列に形成して前記凸部間が略直線状の凹部を構成し、前記第二光透過部を透過した前記第一の発光体及び第二の発光体の光が、前記略直線状の凸部と前記略直線状の凹部の両方あるいは何れか一方を中心に前記略直線状の凸部あるいは前記略直線状の凹部と略垂直方向に伸びるようにすると共に、前記第一の発光体及び第二の発光体は、前記略直線状の凸部と前記略直線状の凹部の両方あるいは何れか一方との配設位置関係が略垂直となるように前記装飾部材に配設したため、発光色が互いに異なる第一の発光体と第二の発光体の発光色を混合させることが可能であると共に互いに異なる発光色を拡散後混合させた、あるいは混合後拡散させた透過光を発生させることができ、装飾効果を高めることが可能となる。
【００１８】
請求項５の発明によれば、前記第一光透過部には前記光拡散用形状として多面体あるいは略半球からなる凸部を形成し、前記第一光透過部を透過した前記第一の発光体及び前記第二の発光体の光が、前記多面体あるいは略半球からなる凸部を中心に略放射状に拡散するように、前記第一光透過部を前記装飾部材に配設したため、第一の発光体と第二の発光体の光を拡散させることが可能であると共に互いに異なる発光色を拡散後混合させた、あるいは混合後拡散させた透過光を発生させることができ、装飾効果を高めることが可能となる。
【００１９】
請求項６の発明によれば、前記第一光透過部には前記光拡散用形状として多面体あるいは略半球からなる複数の凸部を略隣接して形成すると共に前記凸部間で凹部を構成し、前記第一光透過部を透過した前記第一の発光体及び前記第二の発光体の光が前記凸部と前記凹部の両方あるいは何れか一方を中心に略放射状に拡散するように、前記第一光透過部を前記装飾部材に配設したため、第一の発光体と第二の発光体の光を拡散させることが可能であると共に互いに異なる発光色を拡散後混合させた、あるいは混合後拡散させた透過光を発生させることができ、装飾効果を高めることが可能となる。
【００２０】
請求項７の発明によれば、前記装飾部材に、発光色が互いに異なる第一の発光体及び第二の発光体を互いに異なる位置に配設すると共に、前記第一の発光体及び前記第二の発光体の光を透過させて前記第一の発光体及び前記第二の発光体の拡散光を生成するための凹部と凸部の両方又は何れか一方からなる光拡散用形状が形成された第一光透過部と、前記第一光透過部を透過して生成された前記第一の発光体及び前記第二の発光体の拡散光を透過させて前記第一の発光体及び前記第二の発光体の拡散光を混合し、前記第一の発光体及び前記第二の発光体の発光色を混合した混合色からなる混合光を生成するための凹部と凸部の両方又は何れか一方からなる光混合用形状が形成された第二光透過部とを配設したため、互いに異なる発光色を拡散、混合した透過光を発生させることができ、装飾効果を高めることが可能となる。
【００２１】
請求項８の発明によれば、装飾部材に、発光色が互いに異なる第一の発光体及び第二の発光体を互いに異なる位置に配設すると共に、前記第一の発光体及び前記第二の発光体の光を透過させて混合し、前記第一の発光体及び前記第二の発光体の発光色を混合した混合色からなる混合光を生成するための凹部と凸部の両方又は何れか一方からなる光混合用形状が形成された第二光透過部と、前記第二光透過部を透過して生成された前記混合光を透過させて拡散させ、前記混合光の拡散光を生成するための凹部と凸部の両方又は何れか一方からなる光拡散用形状が形成された第一光透過部とを配設したため、互いに異なる発光色を混合、拡散した透過光を発生させることができ、装飾効果を高めることが可能となる。
【発明を実施するための最良の形態】
【００２２】
以下、添付の図面に基づき本発明の実施形態を説明する。図１は本発明の一実施例に係る遊技機全体について遊技盤の釘を省略して示す正面図、図２は同実施例における装飾部材の正面図、右側面図、平面図、Ａ−Ａ断面図、Ｂ−Ｂ断面図、Ｃ−Ｃ断面図、Ｄ−Ｄ断面図、図３は同装飾部材の分解斜視図、図４は同装飾部材のベース部材の正面図と裏面図、図５は同装飾部材の第一光透過部材の正面図と裏面図及びＡ部とＢ部の拡大図、図６は同装飾部材の第二光透過部材の正面図、右側面図、裏面図、Ａ−Ａ断面図、Ｂ−Ｂ断面図、Ｃ−Ｃ断面図、図７は同装飾部材の前飾り部材の正面図と裏面図、図８は同装飾部材における光の拡散と混合を説明する図である。
【００２３】
図１に示す実施例の遊技機１は、パチンコ遊技機からなり、遊技盤３の前面には略円形の外ガイドレール４と内ガイドレール５によって遊技領域６が区画形成されている。前記遊技領域６は、遊技球発射装置Ｈによって発射された遊技球が、前記外レール４と内レール５間を通って打ち込まれる領域を構成する。
【００２４】
前記遊技領域６には、略中央部に表示装置９が設けられ、前記表示装置９の左右には上方から、ランプ風車１８ａ、１８ｂ、左ゲート１９、右ゲート２１、風車２２ａ，２２ｂ、左装飾部材２８Ｌ、右装飾部材２８Ｒが配置され、前記表示装置９の真下に始動入賞口１０、さらにその下方に大入賞口１５が設けられている。前記始動入賞口１０は、２つの可動片１０ａ，１０ｂが略垂直の狭小開口状態と、略Ｖ字形に開いた拡開開口状態間を変化可能にされている。また、前記左装飾部材２８Ｌ及び前記右装飾部材２８Ｒには、それぞれ２つの入賞口２９，３０が形成されている。そして、前記遊技領域６に打ち込まれた遊技球が、前記左ゲート１９及び右ゲート２１以外の前記種々の入賞口に入球（入賞）すると、所定数の遊技球が賞品球として、遊技機前面下部の上側球受け皿８１に払い出される。また、前記左ゲート１９あるいは右ゲート２１を遊技球が通過すると、前記表示装置９の一部の領域に設けられた普通図柄表示部９ａで普通図柄が変動し、所定の図柄で停止した場合に小当たりとなって、前記始動入賞口１０が拡開開口状態となって始動入賞口１０への入球を容易にする。また、前記始動入賞口１０に遊技球が入球すると、前記表示装置９の大部分を占める特別図柄表示部９ｂで複数の特別図柄が変動し、特定の組み合わせで停止表示されると大当たりとなって、前記大入賞口１５が所定回数開閉し、遊技球の入球が容易な大当たり遊技状態となる。なお、前記遊技領域６に打ち込まれて何れの入賞口にも入球しなかった遊技球は、前記遊技領域６の下部に形成されているアウト口１７から遊技機１外へ排出される。
【００２５】
その他、前記遊技機１の前面側には、枠飾りランプ８２ａ，８２ｂ，８２ｃ、前記上側球受け皿８１の飽和時に遊技球を受けるための下側球受け皿８３、効果音等を発するスピーカ８５が設けられ、さらに遊技機１にはプリペイドカードユニット８６が接続されている。なお、符号Ｆ１は遊技機の外枠、Ｆ２は外枠Ｆ１に取り付けられた前枠、Ｇは前枠Ｆ２に開閉可能にヒンジで取り付けられたガラス枠である。
【００２６】
本発明における前記左装飾部材２８Ｌと右装飾部材２８Ｒは、発光装置の一種として設けられている左右のサイドランプからなり、本発明の装飾部材に相当する。前記左装飾部材２８Ｌと右装飾部材２８Ｒは、遊技の進行状態に応じて発光や点滅をして遊技の趣向性を高めたり、発光や点滅によって遊技者に遊技情報を伝えたりする後記の発光体を備える。なお、この実施例における左装飾部材２８Ｌと右装飾部材２８Ｒは、形状等が異なっているだけであって、その他の構成は互いに同じであるため、以下の説明では特に必要があるときを除いて左右を区別することなく装飾部材２８として記載する。
【００２７】
前記装飾部材２８は、図２の組み立て後の正面図、右側面図、各断面図等および図３の分解斜視図に示すように、ベース部材３１、発光体基板４８、第一の発光体４９、第二の発光体５０、第一光透過部材５１、第二光透過部材５７、前飾り部材６５よりなる。
【００２８】
ベース部材３１は、発光体基板４８を第一光透過部材５１、第二光透過部材５７及び前飾り部材６５等と共に、前記遊技盤３へ取り付けるためのもので、この例では非透光性樹脂で構成され、図３及び図４からも理解されるように、底面３２と側壁３３と前面外周の鍔（つば）状の盤面固定面３４とよりなる。前記底面３２の内側には発光体基板配置領域３２ａが設けられ、前記発光体基板配置領域３２ａには基板固定用ボス３５，３５が所定位置に立設され、前記基板固定用ボス３５，３５に発光体基板４８をビスで固定するようになっている。なお、前記底面３２には、前記基板固定用ボス３５，３５の他に、第二光透過部材５７及び前飾り部材６５の両方の中央付近を固定するための固定用ボス３６とコネクタ部挿通穴３７が形成されている。また、前記鍔状の盤面固定面３４には、前飾り部材６５の両端付近を固定するための固定用穴３８，４１、第二光透過部材５７及び前飾り部材６５の両方の上側及び下側を固定するための固定用穴３９，４０、遊技盤への装飾部材固定用穴４２ａ，４２ｂ，４２ｃ、入賞口用遊技球通過穴４４，４５及び入賞球検出スイッチ配置部４６，４７が形成されている。前記入賞球検出スイッチ配置部４６，４７には、前記装飾部材２８の入賞口２９，３０に入球した遊技球を検出する遊技球検出スイッチＳが配置される。
【００２９】
発光体基板４８は、第一の発光体４９と第二の発光体５０の取付用基板を構成し、前記発光体基板４８の前面側に第一の発光体４９と第二の発光体５０が、所定組数取り付けられ、前記発光体基板４８に形成された取付穴４８ａ，４８ｂを介して、前記ベース部材３１の底面３２の前記基板固定用ボス３５，３５にビスで固定される。また、前記発光体基板４８の裏側には、前記第一の発光体４９と第二の発光体５０を発光制御装置（図示せず）に接続する接続部材７５のためのコネクタ４８ａ（図２に示す）が設けられている。前記コネクタ４８ａは、前記ベース部材３１の底面３２に形成されているコネクタ部挿通穴３７に挿通される。
【００３０】
第一の発光体４９と第二の発光体５０は、互いに発光色の異なる発光手段、例えば発光色が互いに異なるＬＥＤ等からなる。発光色は、特に限定されず、例えば、前記第一の発光体４９を赤色、前記第二の発光体５０を青色にする等、適宜決定される。前記第一の発光体４９と前記第二の発光体５０の数は限定されず、本実施例では、前記発光体基板４８に第一の発光体４９と第二の発光体５０を組にして合計６組配設されている。また、前記第一の発光体４９と第二の発光体５０は、後記するように第二光透過部材５７に形成された略直線状の凸部６１と略直線状の凹部６２の両方あるいは何れか一方との配設位置関係が略垂直となるように、前記発光体基板４８に配設される。なお、前記第一の発光体４９及び前記第二の発光体５０の何れとも発光色が異なる第三の発光体等を、前記第一の発光体４９及び前記第二の発光体５０と略直線状に、かつ第二光透過部材５７における略直線状の凸部６１と略直線状の凹部６３の両方あるいは何れか一方との配設位置関係が略垂直となるように設けても良い。なお、本発明において、前記「略垂直」の意味は、厳格な垂直のみならず、水平よりも垂直に近い状態を含むものである。
【００３１】
第一光透過部材５１は、前記第一の発光体４９及び前記第二の発光体５０による光を透過させ、その透過した光を拡散させて前記第一の発光体及び前記第二の発光体の拡散光を生成するためのもので、前記第一の発光体４９及び前記第二の発光体５０の前方（遊技者側）に配置される。前記第一光透過部材５１は、光透過性を有する透明あるいは半透明のガラスあるいは樹脂からなり、前記第一の発光体４９及び前記第二の発光体５０の光を透過させる第一光透過部５２を備える。本実施例では、前記第一光透過部５２は、図５に示すように、前記第一光透過部材５１における前記第一の発光体４９及び前記第二の発光体５０側の面５１ａに形成された第一拡散用第一光透過部５２ａと、前記第一の発光体４９及び前記第二の発光体５０とは反対側の面５１ｂ（すなわち面５１ａの裏面）に形成された第二拡散用第一光透過部５２ｂとよりなる。
【００３２】
前記第一拡散用第一光透過部５２ａは、前記第一光透過部材５１における前記第一の発光体４９及び前記第二の発光体５０側の面５１ａの略全体に形成されている。前記第一拡散用第一光透過部５２ａには、光拡散用形状として複数の凸部５３が互いに略隣接するように散点状に形成され、前記凸部５３間が凹部５４を構成している。本実施例における前記凸部５３は略半球状からなる。
【００３３】
前記第二拡散用第一光透過部５２ｂは、前記第一光透過部材５１における前記第一の発光体４９及び前記第二の発光体５０とは反対側の面５１ｂの略全体に形成されている。前記第二拡散用第一光透過部５２ｂには、光拡散用形状として複数の凸部５５が一部で隣接するようにして散点状に形成され、前記凸部５５間が凹部５６を構成している。本実施例における前記凸部５５は、多面体の一種である正八面体の半体からなる。なお、本実施例では、前記凸部５３を略半球状、前記凸部５５を多面体の一種である正八面体の半体となる構成にしているが、それに限るものではなく、前記凸部５３と前記凸部５５を各々略半球状あるいは多面体の一種となる半体の何れかにしてもよい。
【００３４】
前記第一の発光体４９及び前記第二の発光体５０による光は、前記第一光透過部材５１を透過する際、まず、前記第一拡散用第一光透過部５２ａの凸部５３あるいは凹部５４の両方あるいは一方を中心として拡散し、次に前記第二拡散用第一光透過部５２ｂの凸部５５あるいは凹部５６の両方あるいは一方を中心として拡散する。したがって、前記第一の発光体４９及び前記第二の発光体５０による光は、２段階で拡散することとなり、拡散性が高くなる。しかも、前記第一拡散用第一光透過部５２ａにおける凸部５３と、前記第二拡散用第一光透過部５２ｂにおける凸部５５とを異なる光拡散用形状としたため、前記第一拡散用第一光透過部５２ａと前記第二拡散用第一光透過部５２ｂとで、異なる拡散状態が得られ、装飾性の高い拡散光が得られる。さらに、一つの第一光透過部材５１の両面を利用して第一拡散用第一光透過部５２ａと第二拡散用第一光透過部５２ｂを設けたため、余分な部材を必要とすることなく、二種類の拡散状態を得ることができ、コスト低減及び組み立て作業の効率化が可能となる。なお、本実施例では、前記凸部５３と前記凹部５４とを形成した前記第一拡散用第一光透過部５２ａと前記凸部５５と前記凹部５６とを形成した前記第二拡散用第一光透過部５２ｂを前記第一光透過部材５１の両面に設けた構成にしているが、それに限るものではなく、例えば、前記第一拡散用第一光透過部５２ａと前記第二拡散用第一光透過部５２ｂとを各々異なる部材に設ける構成にしてもよい。また、前記第一拡散用第一光透過部５２ａと前記第二拡散用第一光透過部５２ｂの何れか一方を第一光透過部材５１に設ける構成にしてもよいし、前記第一拡散用第一光透過部５２ａと前記第二拡散用第一光透過部５２ｂ以外に新たな第三拡散用第一光透過部を設けるように複数の第一光透過部を第一光透過部材５１に設ける構成にしてもよい。
【００３５】
なお、前記第一光透過部材５１の外周所定位置には、第二光透過部材５７への取付用突起５１ｃ，５１ｄが形成されており、前記取付用突起５１ｃを第二光透過部材５７の突起係止穴５７ａに、また前記取付用突起５１ｄを第二光透過部材５７の切り欠き５７ｂに挿入することにより、前記第一光透過部材５１の第一光透過部５２が前記第一の発光体４９及び前記第二の発光体５０と、第二光透過部材５７の第二光透過部６０との中間位置に取り付けられる。
【００３６】
第二光透過部材５７は、前記第一の発光体４９及び前記第二の発光体５０による光を透過させて、前記第一の発光体４９及び前記第二の発光体５０の色が混合した混合光を生成するためのものである。前記第二光透過部材５７は、光透過性を有する透明あるいは半透明のガラスあるいは樹脂からなる。本実施例では、図３及び図６に示すように、側壁５８と前面５９とを備え、前記側壁５８には前記第一光透過部材５１の取付用突起５１ｃ，５１ｄを挿入係止するための突起係止穴５７ａ，５７ｂが形成されており、また、前面５９には、前記第一の発光体４９及び前記第二の発光体５０の光を透過する第二光透過部６０を備え、前記第二光透過部６０が前記第一光透過部材５１の第一光透過部５２より前方に位置するようにされる。
【００３７】
前記第二光透過部６０には、前記混合光を生成するための光混合用形状が形成されている。本実施例では、前記第二光透過部材５７において前記第一の発光体４９及び前記第二の発光体５０側の面５７ｃに、光混合用形状として、所定間隔で並列に複数形成された略直線状の凸部６１が形成され、前記略直線状の凸部６１間が略直線状の凹部６２を構成している。本実施例では、前記第二光透過部６０における前記第一の発光体４９及び前記第二の発光体５０とは反対側の面５７ｄ（すなわち面５７ｃの裏面）は平滑面とされている。前記略直線状の凸部６１及び前記略直線状の凹部６２と前記第一の発光体４９及び第二の発光体５０との関係は、前記第二光透過部６０を透過した前記第一の発光体４９及び第二の発光体５０による光が、前記略直線状の凸部６１と前記略直線状の凹部６２の両方あるいは何れか一方を中心にして前記略直線状の凸部６１あるいは前記略直線状の凹部６２と略垂直方向（図６のＶ方向）へ伸びるように、前記第一の発光体４９及び第二の発光体５０における配設位置関係が、前記略直線状の凸部６１と前記略直線状の凹部６２の両方あるいは何れか一方と略垂直となるようにされる。なお、前記略直線状の凸部６１は、本実施例では断面形状が略半円形のものからなるが、それに限るものではない。また、前記略直状の凹部６２は、前記略直線状の凸部６１間で平坦なものに限られず、断面が凹状の円弧等であってもよい。また、前記面５７ｄは平滑面となるように構成しているが、それに限るものではなく、前記面５７ｃに設けられた前記略直線状の凸部６１及び凹部６２と同形状の凸部あるいは凹部を設ける構成にしてもよいし、前記第一拡散用第一光透過部５２ａに設けられた凸部５３あるいは凹部５４や前記第二拡散用第一光透過部５２ｂに設けられた凸部５５あるいは凹部５６と同形状の凸部あるいは凹部を設ける構成にしてもよい。
【００３８】
前記第二光透過部材５７の外周には、前記ベース部材３１の前記固定用穴３９，４０及び固定用ボス３６と対応する位置にビス挿通用穴６３ａ，６３ｂ，６３ｃが形成され、後記のように前記ベース部材３１及び前飾り部材６５と前記第二光透過部材５７の一体化に利用される。
【００３９】
前飾り部材６５は、側壁６６と前面６７とを備える。前記側壁６６には、前記ベース部材３１の入賞口用遊技球通過穴４４，４５と対応する位置に遊技球入球口６８，６９が形成され、遊技球が入球可能とされている。前記前面６７は、前記第二光透過部材５７の前面５９を一部覆う形状からなる。図７に示すように、前記前飾り部材６５における前面６７の裏側には、固定用ボス７０，７１，７２が、前記ベース部材３１の前記固定用穴３９，４０及び固定用ボス３６と前記第二光透過部材５７のビス挿通用穴６３ａ，６３ｂ，６３ｃと対応する位置に形成されており、前記ベース部材３１の裏側から前記固定用穴３９，４０及び固定用ボス３６に挿入したビスを、さらに前記第二光透過部材５７のビス挿通用穴６３ａ，６３ｂ，６３ｃに通して前飾り部材６５の前記固定用ボス７０，７１，７２に螺合させることにより、前記ベース部材３１、前記第一光透過部材５１、前記第二光透過部材５７及び前記前飾り部材６５が一体化される。前記固定用ボス７０，７１，７２は、ネジ穴が前記前面６７の表面まで貫通しないように形成されている。そのため、前記前飾り部材６５の前面６７にビス類やネジ穴が露出せず、遊技機１の美観が損なわれるのを抑えることができる。さらに、前記前飾り部材６５を前記ベース部材３１に固定することによって、前記前飾り部材６５と共に前記第一光透過部材５１及び前記第二光透過部材５７を前記ベース部材３１に取り付けることができ、また、前記第一光透過部材５１及び前記第二光透過部材５７のためだけにビス類を使用しなくてもよいため、装飾部材の組み立て作業の省力化が可能となる。符号７３、７５は前記ベース部材３１の固定用穴３８，４１と対応して前飾り部材６５の裏側に形成されたビス止め用穴である。
【００４０】
前記構成からなる本実施例の装飾部材２８の作用は、図８に示すように、前記第一の発光体４９と前記第二の発光体５０による光が、それぞれ前記第一光透過部材５１の第一光透過部５２を透過することによって放射状に拡散して前記第一の発光体４９の拡散光４９ａと第二の発光体５０の拡散光５０ａが生成され、さらに前記第一の発光体の拡散光４９ａと第二の発光体の拡散光５０ａが前記第二光透過部材５７の第二光透過部６０を透過することによって、前記略直線状の凸部６１あるいは前記略直線状の凹部６２の両方あるいは何れか一方を中心に、前記略直線状の凸部６１あるいは前記略直線状の凹部６２に対して略垂直方向Ｖに伸び、前記両拡散光４９ａ，５０ａが互いに重なる部分で混合されて、混合色（例えば、前記第一の発光体４９が赤色、前記第二の発光体５０が青色の場合には、混合色はピンク色となる。）の混合光ＭＬが生成される。なお、前記第一の発光体４９及び前記第二の発光体５０は、前記第二光透過部６０における略直線状の凸部６１及び略直線状の凹部６２と平行Ｅの位置関係に配置されると、前記第二光透過部６０を透過した前記第一の発光体４９及び前記第二の発光体５０の光は、前記略直線状の凸部６１及び略直線状の凹部６２に対して略垂直方向に伸びた際に、互いの光が平行になって重なる範囲が無くなるため、混色され難くなる。
【００４１】
前記実施例の説明では、拡散用の第一光透過部よりも前方に混合用の第二光透過部を配置して、まず前記第一の発光体と前記第二の発光体による光を、前記拡散用の第一光透過部に透過させて拡散光を生成し、その後に前記拡散光を前記混合用の第二光透過部に透過させて混合光を生成しているが、本発明ではその順序に限られるものではなく、その逆の順序でもよい。すなわち、前記混合用の第二光透過部の前方に前記拡散用の第一光透過部材配置し、前記第一の発光体と第二の発光体の光を、まず前記混合用の第二光透過部に透過させて混色し、その混色した光を前記拡散用の第一光透過部に透過させて拡散させるようにしても、同様の効果が得られる。
【００４２】
また、前記第一の発光体の発光色（第一発光色）と前記第二の発光体の発光色（第二発光色）を混合した混合色を生成する混合発光の他に、前記第一の発光体の発光色（第一発光色）のみ、あるいは前記第二の発光体の発光色（第二発光色）のみを単独で得たい場合には、前記第一の発光体あるいは前記第二の発光体の何れか一方みを単独発光させるように制御すればよいため、前記第一の発光体と前記第二の発光体の同時点灯による混合色の混合発光と、前記第一の発光体のみの点灯による第一発光色の単独発光と、前記第二の発光体のみの点灯による第二発光色の単独発光とからなる３種類の発光色を、遊技の進行状況等に合わせて切り替えて発光させることも可能である。
【００４３】
なお、前記第一の発光体及び前記第二の発光体の発光強度や、前記第一の発光体及び前記第二の発光体と前記第一光透過部あるいは前記第二光透過部との距離関係により、前記混合色の色具合を変更することも可能である。例えば、前記第一の発光体の発光強度と前記第二の発光体の発光強度をそれぞれ変化させることによって、前記混合色の色具合を変化させることも可能である。
【００４４】
また、前記実施例では、前記第一の発光体の発光色（第一発光色）と前記第二の発光体の発光色（第二発光色）を混合させる構成としたが、本発明は、二つの発光色の混合に限られず、互いに発光色の異なる三以上の発光体を略直線状に、かつ前記略直線状の凸部あるいは凹部と略垂の配設位置関係となるように構成してもよい。
【００４５】
前記実施例では、装飾部材としてサイドランプを示したが、前記装飾部材は、サイドランプに限定されるものではなく、発光体が配設される発光装置であればよく、例えば、枠飾りランプ等であってもよい。また、前記装飾部材は、入賞口の無いものでもよい。
【図面の簡単な説明】
【００４６】
【図１】本発明の一実施例に係る遊技機全体について遊技盤の釘を省略して示す正面図である。
【図２】同実施例における装飾部材の正面図、右側面図、平面図、Ａ−Ａ断面図、Ｂ−Ｂ断面図、Ｃ−Ｃ断面図、Ｄ−Ｄ断面図である、
【図３】同装飾部材の分解斜視図である。
【図４】同装飾部材のベース部材の正面図と裏面図である。
【図５】同装飾部材の第一光透過部材の正面図と裏面図及びＡ部とＢ部の拡大図である。
【図６】同装飾部材の第二光透過部材の正面図、右側面図、裏面図、Ａ−Ａ断面図、Ｂ−Ｂ断面図、Ｃ−Ｃ断面図である。
【図７】同装飾部材の前飾り部材の正面図と裏面図である。
【図８】同装飾部材における光の拡散と混合を説明する図である。
【符号の説明】
【００４７】
１  遊技機
３  遊技盤
６  遊技領域
２８  装飾部材（サイドランプ）
３１  ベース部材
４８  発光体基板
４９  第一の発光体
５０  第二の発光体
５１  第一光透過部材
５２  第一光透過部
５２ａ  第一拡散用第一光透過部
５２ｂ  第二拡散用第一光透過部
５３  第一拡散用第一光透過部の凸部
５４  第一拡散用第一光透過部の凹部
５５  第二拡散用第一光透過部の凸部
５６  第二拡散用第一光透過部の凹部
５７  第二光透過部材
６０  第二光透過部
６１  略直線状の凸部
６２  略直線状の凹部
６５  前飾り部材
Ｈ  発射装置
【図１】
2005102779.tif 000003
【図２】
2005102779.tif 000004
【図３】
2005102779.tif 000005
【図４】
2005102779.tif 000006
【図５】
2005102779.tif 000007
【図６】
2005102779.tif 000008
【図７】
2005102779.tif 000009
【図８】
2005102779.tif 000010